(57)【特許請求の範囲】
【請求項１】
筆記体と連接した複数のノック部材の操作部を後軸後端部に至り設けたそれぞれの縦溝に突出させ、各ノック部材を軸先方に摺動させることにより選択的に筆記部を先軸の先端孔から突出係止させるようにした複式筆記具において、上記後軸は、縦溝前端位置で外周部に段部を有し、その前方の軸部に縦溝に連通してノック部材を摺動可能にガイドするスリット部が前端まで開口して設けられ、更に軸部の前端外周に係合突起が形成され、一方、前端に先軸が設けられてなる中軸の後端に突片が設けられて、上記後軸が、その縦溝前方のスリット部を中軸に嵌装した状態で上記後軸の段部が中軸の後端に当接すると共に、中軸の突片が後軸の縦溝に係合し、更に後軸の軸部先方の縮径側の弾性変形によって係合突起が中軸の内孔に設けられた係合段部に係止して後軸が中軸に固定されてなる複式筆記具。
【請求項２】
中軸の内孔に、各筆記体の挿通孔を有すると共に後方に胴部が形成された中駒が装着され、中駒の胴部が後軸のスリット部に嵌装することによって後軸先方の縮径が防止され、後軸が中軸に対し強固に固定されてなる請求項１に記載の複式筆記具。
【発明の詳細な説明】
【０００１】
【産業状の利用分野】
本発明は、ノック部材を軸先方に摺動させることにより選択的に筆記部を先軸の先端孔から突出係止させるようにした複式筆記具の改良に関する。
【０００２】
【従来の技術】
軸本体内に複数の筆記体を有し、筆記体は弾発部材により軸本体後方に付勢されるが、筆記体の後端に取り付けられているノック部材を前進させて、ノック部材を軸本体に係合させることにより、筆記体を軸本体から突出させるようにした複式筆記具が一般的に知られている。また、特開平８−２６７９８８号に示されるように、軸本体を前軸と後軸とより構成し、互いを係合固定し、後軸には、ノック部材が摺動するスリット部を一方の端部まで形成すると共に、ノック部材が前進したときに係合する段部が形成され、ノック部材や筆記体などを容易に後軸に組み付けることができるようにしたものがある。
【０００３】
しかしながら、一般的に知られた上記従来技術にあっては、組み立て方法などの点で問題があった。先ず、一般的に知られている組み立て方法の１つとして、ノック部材とボールペン（あるいはシャープペン）を連結させておき、それを手などで摘み、軸体の前方から縦溝に向けてそのノック部材を挿入する方法である。しかしながら長い軸体の内側を通過してノック部材の操作部を縦溝に突出するように挿入することは、透明な軸体ならまだしも、不透明の軸体にあっては、ノック部材が傾いてしまうなどの問題が生じるため容易に組み立てることができなかった。
【０００４】
また、特開平８−２６７９８８号に示されるものは、後軸の脚部を中軸の溝部に合わせ、押し込み嵌挿させるようになっており、溝部を閉塞型の構成とすることで、中軸に対する後軸の位置決めがされ、後軸の脚部が内側（径方向）に倒れるのを防止しているが、脚部に係合突起が形成されているため、係合する中軸の係合孔までの嵌挿力は小さくはなく、手による嵌挿は容易なものではなかった。
また、弾発部材の前方への移動を阻止すると共に、筆記体を後方に付勢する規制部が中軸に形成されているため、係合孔を軸側面に形成しなければならず、外観上の制約を受ける問題がある。
【０００５】
【発明が解決しようとする課題】
本願は、上記従来技術の問題点を解決せんとするものであって、弱い力で部材間の固定が可能であり、熟練や道具などを使用しないでも容易に組立することを可能とする。
【０００６】
【課題を解決するための手段】
本発明は、上記課題を達成するために以下の構成を有する。
請求項１に記載の発明に係る複式筆記具は、筆記体と連接した複数のノック部材の操作部を後軸後端部に至り設けたそれぞれの縦溝に突出させ、各ノック部材を軸先方に摺動させることにより選択的に筆記部を先軸の先端孔から突出係止させるようにした複式筆記具において、上記後軸は、縦溝前端位置で外周部に段部を有し、その前方の軸部に縦溝に連通してノック部材を摺動可能にガイドするスリット部が前端まで開口して設けられ、更に軸部の前端外周に係合突起が形成され、一方、前端に先軸が設けられてなる中軸の後端に突片が設けられて、上記後軸が、その縦溝前方のスリット部を中軸に嵌装した状態で上記後軸の段部が中軸の後端に当接すると共に、中軸の突片が後軸の縦溝に係合し、更に後軸の軸部先方の縮径側の弾性変形によって係合突起が中軸の内孔に設けられた係合段部に係止して後軸が中軸に固定されてなる。
【０００７】
請求項２に記載の発明に係る複式筆記具は、請求項１に記載の複式筆記具において、中軸の内孔に、各筆記体の挿通孔を有すると共に後方に胴部が形成された中駒が装着され、中駒の胴部が後軸のスリット部に嵌装することによって後軸先方の縮径が防止され、後軸が中軸に対し強固に固定されてなる。
【０００８】
【実施例】
以下、本発明の実施形態について、図面を参照しながら説明する。
図１は、筆記体として３色のボールペンが摺動自在に配置されている複式筆記具を示している。尚、筆記体は、ボールペンばかりではなくシャープペンシルなどであっても良い。１は軸本体であり、その軸本体１は、前軸２と後軸３と中駒４とより構成されている。また、前軸２は、先軸５と中軸６が螺合等の手段によ離脱可能に固定されてなる。（尚、先軸と中軸は設計都合で一体に形成することも可能である。）
【０００９】
後軸３には、長手方向に３箇所の縦溝９が形成され、縦溝９の前端位置で外周部に段部９ｃが設けられ、段部９ｃ前方の軸部１０に縦溝９と連通してやや幅広のスリット部７がそれぞれ形成されている。
また、上記軸部１０は、スリット部７によって分断された脚部状を呈しており、その軸部１０の端部には係合突起１１が形成され、軸部の外周部長手方向には溝部１２が形成されている。
また、実施例は筆記体８で示されるボールペンの数が３本であるが、この筆記体８の本数によって縦溝９及びスリット部７の数も変わるものである。また、スリット部７は、後軸３の前端まで形成されている。また、縦溝９の両側にはリブ９ａが形成されている。このリブ９ａは縦溝９の両側に全長に渡ってではなく略中間部まで形成されている。また、リブ９ａの前端は後述するノック部材の後端係止部２１を係合する段部９ｂとなっている。
【００１０】
また、図６に示されるように中軸６の後端６ｃに突片６ａが設けられている。
また、突片６ａは後軸の縦溝９に対応する位置と数を有しており、突片６ａの両側面６ｂ間の幅は後軸の縦溝９の幅と略同一あるいは僅かに大きく設定され、後述するが、突片が縦溝に係合することで中軸と後軸との接合部のガタツキ防止や変形しやすい分断した脚部状の軸部を規正して後軸と中軸との組立を容易化する。更に、より効果的となすために、突片６ａの側面６ｂに線状の僅かな突状部や部分的な僅かな突状部を設けて、突片が縦溝に食いつき状に係合させることも可能である。
【００１１】
また、中軸６の内孔中間部には、後軸３を組み付けた際に上記係合突起１１が係止する段部１３とその段部１３の前方に係合突起１４が形成されている。
また、係合段部１３の後方には、長手方向に複数箇所の突部１７が形成されており、この突部１７に後軸３の軸部１０に形成された溝部１２が迎合し、組立時に軸部１０が案内されると共に中軸に対し後軸が回転止めされる。
尚、上記の突部１７と溝部１２の迎合は、脚部状の軸部１０の縮径方向などの変形を配慮して、上記実施形態に限らず蟻溝などのように相互間が係合する形状などが設定される。（図示せず）
【００１２】
また、中駒４は、各筆記体８の挿通孔を有すると共に後方に胴部１８が形成されており、中駒４を中軸６に組み付けた際に係合突起１４が中駒４の外周に形成された係合溝１５に相互の弾性変形によって係合し、中駒４が中軸６に固定される。
【００１３】
次に、組立順序で説明する。
先ず、ノック部材１９前端の接続部にボールペン等の筆記体８が連結される。
次いで、ノック部材１９の操作部２０を後軸３の縦溝９に合わせて、押し込み嵌挿する。各ノック部材１９がそれぞれ後軸３に嵌挿された状態で、各筆記体８に弾発部材１６を嵌装する。以上で、後軸３がユニット化２３される。
尚、ノック部材１９単体の状態で後軸３に嵌挿することも、更に、後軸３を中軸６に係合させた後、筆記体８を連結したノック部材１９を嵌挿することも可能である。
【００１４】
次に、ユニット化２３された後軸３を中軸６に嵌挿するが、この時、スリット部７に突片６ａを嵌装及び後軸３の軸部１０に形成された溝部１２を中軸６の突部１７に合わせ、押し込み嵌挿させて、中軸６に対する後軸３の位置決めがされる。更に後軸３を中軸６に対して押し込むと、後軸の段部９ｃが中軸の後端６ｃに当接すると共に中軸の突片６ａが後軸の縦溝９に係合し、且つ、後軸３の前端に設けた係合突起１１が中軸６内孔の段部１３に係合し、後軸３と中軸６は仮固定状態となる。後軸３の軸部１０は、弾性を有しているので縮径しながら後軸３の係合突起１１が中軸６の段部１３の位置で外側（係合段部１３）に開放され、係合する。
【００１５】
次に、中駒４を仮固定状態となった中軸６に嵌挿するが、この時、中駒の胴部１８の長手方向に形成した溝部２２に後軸３の軸部１０を案内・嵌挿させ、後軸３のスリット部７に胴部１８が嵌入する。ここで、仮固定状態である中軸６に対する中駒４の位置決めがなされる。更に中駒４を中軸６に対して押し込むと、中駒４の係合溝１５が中軸６の係合突起１４に係合し、中駒４と中軸６が固定される。尚、中軸６に対しての中駒４の押し込みは、先軸５の螺合によって行うことも可能である。
すなわち、後軸３の軸部１０に形成された係合突起１１が中軸の段部１３に弱い押し込み力で係合して後軸３と中軸６が仮固定され、中駒４の胴部１８が後軸３のスリット部７に嵌入することで軸部１０の縮径が防止されて、後軸３は中軸６に対して強固に固定されることとなる。
【００１６】
また、弾発部材１６は、中駒４によって前方の移動が阻止されると共に、筆記体８を後方へ付勢する。最後に先軸５が中軸６に螺着等によって固定される。
この中駒４は、弾発部材１６の前端を係止させることにより筆記体８を後方に付勢しており、従って中軸６に対する固定力は、基本的には弾発部材１６の附勢力に耐える力や、筆記体の交換時にノック部材１９前端の接続部と筆記体８後端の連結を外す力に耐える程度ですむ。
【００１７】
尚、後軸のスリット部７の前端近傍に弾発部材１６の前端を当接させる段部を形成し、上述したように突部１７と溝部１２の迎合を蟻溝などのように相互間が係合する形状になすと共に、軸部１０前端の係合突起１１が弾性変形可能となるように構成すれば、中駒４を省略した構造で実使用に耐える後軸と中軸の固定が可能である。（図示せず）
【００１８】
【作用】
次に動作について説明する。選択したノック部材１９の操作部２０を前方に押圧すると、ノック部材１９は縦溝９及びスリット部７に案内されながら、筆記体８を伴い前進し、筆記体８の先端が先軸５の先端より突出すると同時に、ノック部材１９が後軸３の内側に押し込まれ、次いで、ノック部材１９の後端係止部２１が、リブ９ａの段部９ｂに係合し、筆記体８の後退が阻止される。また、この状態から筆記体８を収納する場合には、他のノック部材１９を押圧することによって突出側のノック部材が後退し、代わりに前進してその筆記体が突出する。
【００１９】
本発明の複式筆記具は、ノック部材と筆記体とを組み合わせた状態、及びノック部材単体の状態においても、後軸に対し手によって容易に挿着することができ、また、中軸に対する後軸の嵌装、中軸・後軸に対する中駒の嵌装も、手により容易に組み立てられる。
【００２０】
【発明の効果】
以上の実施形態からも明らかな如く、ノック部材や筆記体などを手により容易に組み付けることができ、弱い力で部材間の固定が可能であり、熟練や道具などを使用しないでも容易に組立することが可能である。
また、弾発部材を受ける中駒を別部材として構成したので、中軸に設けた後軸との係合部は、中軸の側面に穿設した係合孔ではなく内孔に形成した段部とすることが可能となり、中軸の外観及び金型構造をすっきりさせることができる。
【図面の簡単な説明】
【図１】本発明の実施例である複式筆記具の全体を示す縦断面図である。
【図２】図１のＡ−Ａ断面図。
【図３】図１のＢ−Ｂ断面図。
【図４】後軸の要部縦断面を示す図である。
【図５】ユニット化を示した図である。
【図６】中軸の縦断面図である。
【図７】中軸の突片が後軸の縦溝に係合した状態を示した横断面図である。
【図８】中駒の正面図である。
【図９】先軸の縦断面図である。
【符号の説明】
１  軸本体
２  前軸
３  後軸
４  中駒
５  先軸
６  中軸
６ａ  突片
６ｂ  側面
６ｃ  後端
７  スリット部
８  筆記体
９  縦溝
９ａ  リブ
９ｂ  段部
９ｃ  段部
１０  軸部
１１  係合突起
１２  溝部
１３  段部
１４  係合突起
１５  係合溝
１６  弾発部材
１７  突部
１８  胴部
１９  ノック部材
２０  操作部
２１  後端係止部
２２  溝部
２３  ユニット化
【図１】
0004463367.tif 000002
【図２】
0004463367.tif 000003
【図３】
0004463367.tif 000004
【図４】
0004463367.tif 000005
【図５】
0004463367.tif 000006
【図６】
0004463367.tif 000007
【図７】
0004463367.tif 000008
【図８】
0004463367.tif 000009
【図９】
0004463367.tif 000010